(57)【要約】      （修正有）【課題】高速信号転送が可能なケーブル、コネクタ、それを用いた印刷回路基板、及び表示装置を提供する。【解決手段】第１ピン領域に所定の間隔で配置される第１ケーブルピンと第２ケーブルピンを含む上部ピン、第２ピン領域に所定の間隔で配置される第３ケーブルピンと第４ケーブルピンを含む下部ピン、第１ケーブルピンに連結され、フィルムの上面に配置される第４ケーブル信号線141dと第２ケーブルピンに連結され、第１方向に延びて、フィルムの上面に配置される第２ケーブル信号線141bを含む上部配線、及び第３ケーブルピンに連結され、フィルムの下面に配置される第３ケーブル信号線141cと第３ケーブルピンに連結され、フィルムの下面に配置される第４ケーブル信号線141dを含む下部配線を含むケーブル、印刷回路基板、及びそれを用いた表示装置100を提供する。【選択図】図２ａ
2019120943.tif 000002
【特許請求の範囲】
【請求項１】
第１面上で互いに隣接した第１ピン領域と第１ダミーピン領域と、前記第１面の反対面である第２面上で互いに隣接した第２ピン領域と第２ダミーピン領域を備えるフィルムであって、前記第２ピン領域は前記第１ダミーピン領域と重畳し、前記第２ダミーピン領域は前記第１ピン領域と重畳する、フィルムと、
前記第１ピン領域で互いに離隔している第１ケーブルピンと第２ケーブルピンと、
前記第２ピン領域で互いに離隔している第３ケーブルピンと第４ケーブルピンと、
前記フィルムの前記第１面上に配置され、前記第１ケーブルピンと連結される第１ケーブル信号ラインと、前記フィルムの前記第１面に配置され、前記第２ケーブルピンと連結される第２ケーブル信号ラインと、
前記フィルムの前記第２面に配置され、前記第３ケーブルピンに連結される第３ケーブル信号ラインと、前記フィルムの前記第２面に配置され、前記第４ケーブルピンと連結される第４ケーブル信号ラインを含むケーブルと、を含む、ディスプレイ装置。
【請求項２】
前記前記第３ケーブルピンと前記第４ケーブルピンに各々重畳する位置に第１ダミーピン領域に配置される第１ダミーピンと第２ダミーピンと、
前記第２ダミーピン領域で前記第１ケーブルピンと前記第２ケーブルピンと各々重畳するように配置される第３ダミーピンと第４ダミーピンと、をさらに含む、請求項１に記載のディスプレイ装置。
【請求項３】
前記第１ケーブル信号ラインと前記第２ケーブル信号ラインとの距離は前記第１ダミーピンの幅と異なる、請求項２に記載のディスプレイ装置。
【請求項４】
前記第４ケーブル信号線と前記第２ケーブル信号線のうちの１つは（＋）信号が伝達され、残りの１つは（−）信号が印加され、前記第３ケーブル信号線と前記第４ケーブル信号線のうちの１つは（＋）信号が伝達され、残りの１つは（−）信号が印加される、請求項１に記載のディスプレイ装置。
【請求項５】
前記第１ピン領域、前記第１ダミーピン領域、前記第２ピン領域、及び前記第２ダミーピン領域は、前記フィルムの第１端と隣接するように配置される、請求項１に記載のディスプレイ装置。
【請求項６】
前記ケーブルは、ＦＦＣを含む、請求項５に記載のディスプレイ装置。
【請求項７】
前記第１ピン領域の外側での前記第１ケーブル信号ラインと前記第２ケーブル信号ラインとの間の第１距離は、前記第１ピン領域での前記第１ケーブルピンと前記第２ケーブルピンとの間の第２距離より小さい、請求項１に記載のディスプレイ装置。
【請求項８】
第１ケーブル信号ラインと第２ケーブル信号ラインの各々の第１セグメントは前記第１ケーブルピンと前記第２ケーブルピンから第１方向に沿って延びて、前記第１ケーブル信号ラインと前記第２ケーブル信号ラインの各々の第２セグメントは対応する前記第１セグメントから互いに向かって延びて、前記第１ケーブル信号ラインと前記第２ケーブル信号ラインの各々の第３セグメントは対応する第２セグメントから前記第１方向に沿って延びて、前記第１ケーブル信号ラインと前記第２ケーブル信号ラインの前記第３セグメントは互いから前記第１距離だけ離隔している、請求項７に記載のディスプレイ装置。
【請求項９】
表示パネルと、
前記表示パネルの第１側に配置される第１印刷回路基板と、
前記表示パネルの前記第１側に配置され、前記ケーブルにより前記第１印刷回路基板と連結される第２印刷回路基板をさらに含む、請求項１に記載のディスプレイ装置。
【請求項１０】
前記第１印刷回路基板または前記第２印刷回路基板は、ブリッジ印刷回路基板、コントロール印刷回路基板、またはソース印刷回路基板のうちの１つである、請求項９に記載のディスプレイ装置。
【請求項１１】
前記第１印刷回路基板上に配置されたコネクタであって、前記コネクタは前記ケーブルと連結されている、コネクタをさらに含み、
前記コネクタは、
コネクタ胴体部と、
前記コネクタ胴体部から延びており、下に突出した第１突起を含む第１締結部と、
前記コネクタ胴体部から延びている第２締結部であって、前記第２締結部は、前記第１締結部と隣接するように配置されており、前記第２締結部は、下に突出した、第１方向における前記第１突起と前記コネクタ胴体部との間の距離より小さい距離だけ第１方向に前記コネクタ胴体部から離隔している第２突起部を含む、第２締結部と、
前記コネクタ胴体部から延びており、前記第１突起の位置に対応する位置で上に突出した第３突起を含む第３締結部と、
前記コネクタ胴体部から延びている第４締結部であって、前記第４締結部は、前記第３締結部と隣接するように配置されており、前記第２突起の位置に対応する位置で上に突出した第４突起を含む、第４締結部と、を含む、請求項９に記載のディスプレイ装置。
【請求項１２】
前記第１印刷回路基板または前記第２印刷回路基板のうちの１つは、
前記第１印刷回路基板または前記第２印刷回路基板のうち、少なくとも１つの胴体上に配置されるボードピン領域と、
前記ボードピン領域上に配置され、互いに離隔している複数のボードピンであって、前記複数のボードピンは、第１ボードピン及び第２ボードピンを含み、前記第１ボードピンは第１ボード信号線と連結され、前記第２ボードピンは第２ボード信号線と連結され、前記第１ボード信号線は前記第２ボードピンから延びる第２ボード信号線と異なる方向に前記第１ボードピンから延びる、複数のボードピンと、を含む、請求項１１に記載のディスプレイ装置。
【請求項１３】
前記第２ボード信号線は前記印刷回路基板の胴体部で第１ボードピンと導電性ビアとの間に延びており、第２ボード信号ラインは電気的に前記導電性ビアと連結される、請求項１２に記載のディスプレイ装置。
【請求項１４】
前記第１ボードピンは第１極性を備える信号を転送し、前記第２ボードピンは前記第１極性と反対の極性を有する第２極性を備える信号を転送する、請求項１２に記載のディスプレイ装置。
【請求項１５】
前記第１突出部は第１ボード信号線と電気的に連結され、前記第４突出部は前記第２ボード信号線と電気的に連結される、請求項１２に記載のディスプレイ装置。
【請求項１６】
前記第１印刷回路基板と前記第２印刷回路基板は、各々、
印刷回路基板の胴体上に配置されるボードピン領域と、
前記ボードピン領域上に配置され、互いに離隔している複数のボードピンであって、前記複数のボードピンは第１ボードピンと第２ボードピンを含むい、ボードピンと、を含み、
前記第１ボードピンは第１ボード信号線が連結され、第２ボードピンは第２ボード信号線が連結され、前記第１ボード信号線は前記第２ボード信号線が前記第２ボードピンから延びる方向と異なる方向に前記第１ボードピンから延びる、請求項１１に記載のディスプレイ装置。
【請求項１７】
前記第１印刷回路基板と前記第２印刷回路基板の第１ボードピンは第１極性を備える各々の信号を転送し、第２ボードピンは第１極性と反対の極性を有する第２極性を備える各々の信号を転送する、請求項１６に記載のディスプレイ装置。
【請求項１８】
コネクタ胴体部と、
前記コネクタ胴体部から延びており、下に突出した第１突起を含む第１締結部と、
前記コネクタ胴体部から延びており、前記第１締結部と隣接するように配置されている第２締結部であって、前記第２締結部は、下に突出した、前記第１方向に沿って前記第１突出部と前記コネクタ胴体との間の距離より小さい距離だけ前記コネクタ本体から離隔した第２突出部を含む、第２締結部と、前記コネクタ胴体から延びており、前記第１突起に対応する位置で上に突出する第３突起を含む第３締結部と、
前記コネクタ胴体から延びており、前記第３締結部と隣接するように配置された第４締結部であって、前記第４締結部は、前記第２突起に対応する位置で上に突出する第４突起を含む、第４締結部と、を含む、コネクタ。
【請求項１９】
前記第１突起はケーブルの第１面に配置されている第１ケーブルピンと連結され、前記第４突起は前記第１面と反対面である前記ケーブルの第２面に配置されている第２ケーブルピンと連結される、請求項１８に記載のコネクタ。
【請求項２０】
前記第２突起は前記ケーブルの前記第１面に配置されている第１ダミーピンと連結され、前記第３突起は前記ケーブルの前記第２面に配置されている第２ダミーピンと連結される、請求項１９に記載のコネクタ。
【請求項２１】
前記コネクタ胴体部は第１胴体部と第２胴体部を含み、前記第１締結部と前記第２締結部は前記第１胴体部から延びており、前記第３締結部と前記第４締結部は前記第２胴体部から延びている、請求項１８に記載のコネクタ。
【請求項２２】
前記第１締結部と前記第３締結部との間及び前記第２締結部と前記第４締結部との間の各々の距離を選択的に調節する調節可能締結力アセンブリーをさらに含む、請求項２１に記載のコネクタ。
【発明の詳細な説明】
【技術分野】
【０００１】
本発明の実施形態は、ケーブル、コネクタ、それを用いた印刷回路基板、及び表示装置に関するものである。
【背景技術】
【０００２】
情報化社会が発展するにつれて、画像を表示するための表示装置に対する要求が多様な形態に増加しており、液晶表示装置（ＬＣＤ：Liquid Crystal Display Device）、有機発光表示装置（ＯＬＥＤ：Organic Light Emitting Display Device）などのさまざまなタイプの表示装置が活用されている。
【０００３】
前記の表示装置のうち、有機発光表示装置は自発光素子であり、応答速度、視野角、色再現性などが非常に優秀で、かつ薄く具現できるので、最近脚光を浴びている。
【０００４】
表示装置は表示パネルと連結される各種の駆動部及び制御部が各印刷回路基板上に配置され、ケーブルを介して各印刷回路基板が連結されて信号及び電圧を供給することができる。
【０００５】
しかしながら、ケーブルと印刷回路基板には互いにアラインを合せて接触し、信号を転送するピンと、ピンに連結されている信号配線を含んでいる。高速で信号を転送する場合、１つのラインと隣接したラインは互いに異なる極性を有する信号を転送するようになるが、２つ線が短絡されれば、ケーブルに連結された回路が損傷する問題が発生することがある。したがって、ケーブルと印刷回路基板は各々、設定された工程マージンを用いて形成された配線を有する。しかしながら、ケーブルと印刷回路基板は、そのサイズの差によって、各々設定された工程マージンに差がある。特に、大型表示装置に採用される印刷回路基板の場合、ケーブルの工程マージンより大きい工程マージンが設定されるようになる。このようになれば、ケーブルのピンは印刷回路基板のピンとアラインされなければならないので、ケーブルの幅を狭く設定することに限界がある。また、ケーブルの長さが長い場合、ケーブルの線抵抗によって信号が減殺されるなど、転送率が落ちるようになることがある。ケーブル幅の増加によってケーブルと印刷回路基板との間を最短距離で連結できなくなり、これによってケーブルの長さ増加による製造コストが増加する問題がある。
【発明の概要】
【発明が解決しようとする課題】
【０００６】
本発明の実施形態の目的は、高速信号転送が可能なケーブル、コネクタ、それを用いた印刷回路基板、及び表示装置を提供することにある。
【０００７】
本発明の実施形態の他の目的は、締結が容易なケーブル、コネクタ、それを用いた印刷回路基板、及び表示装置を提供することにある。
【課題を解決するための手段】
【０００８】
一態様において、本発明の実施形態は、上面と下面に各々上部ピン領域と下部ピン領域が配置され、上部ピン領域は第１ピン領域と第１ダミーピン領域を含み、下部ピン領域はダミーピン領域に重畳する第２ピン領域と第１ダミーピン領域と重畳する第２ピン領域を含むフィルム、第１ピン領域に既設定された間隔で配置される少なくとも第１ケーブルピンと第２ケーブルピンを含む上部ピン、第２ピン領域に既設定された間隔で配置される第３ケーブルピンと第４ケーブルピンを含む下部ピン、第１ケーブルピンに連結され、フィルムの上面に配置される第１ケーブル信号線と、第２ケーブルピンに連結され、フィルムの上面に配置される第２ケーブル信号線を含む上部配線、及び第３ケーブルピンに連結され、第１方向に延びて、フィルムの下面に配置される第３ケーブル信号線と、第３ケーブルピンに連結され、フィルムの下面に配置される第４ケーブル信号線を含む下部配線を含むケーブル装置を提供することができる。
【０００９】
他の一態様において、本発明の実施形態は、第１方向に延びて、下に突出した第１突起を含む第１締結部、第１締結部と第２方向に並んで配置され、かつ第１方向に延びて、下に突出し、基準線から第１方向に第１突起より遠く離れている位置に配置されている第２突起を含む第２締結部、第１方向に延びて、上に突出し、第１突起に対応する第３突起を含む第３締結部、及び第３締結部と第２方向に並んで配置され、かつ第１方向に延びて、上に突出し、第２突起に対応する第４突起を含む第４締結部を含むコネクタを提供することができる。
【００１０】
他の一態様において、本発明の実施形態は、胴体部、胴体部の上面に配置されるコネクタを含み、かつコネクタは第１方向に延びて、下に突出した第１突起を含む第１締結部、第１締結部と第２方向に並んで配置され、かつ第１方向に延びて、下に突出し、基準線から第１方向に第１突起より近い位置に配置されている第２突起を含む第２締結部、第１方向に延びて、上に突出し、第１突起に対応する第３突起を含む第３締結部、及び第３締結部と第２方向に並んで配置され、かつ第１方向に延びて、上に突出し、第２突起に対応する第４突起を含む第４締結部を含む印刷回路基板を提供することができる。
【００１１】
他の一態様において、本発明の実施形態は、表示パネル、表示パネルの一側に配置される第１ソース印刷回路基板、表示パネルの一側に配置される第２ソース印刷回路基板、表示パネルと第１ソース印刷回路基板に連結される第１ベースフィルム上に配置される第１集積回路、表示パネルと第２ソース印刷回路基板に連結される第２ベースフィルム上に配置される第２集積回路、及び第１ソース印刷回路基板に信号または電圧を供給するブリッジ印刷回路基板を含み、かつブリッジ印刷回路基板と第１ソース印刷回路基板は第１ケーブルにより連結され、第１ソース印刷回路基板と第２ソース印刷回路基板は第２ケーブルにより連結され、かつ第１ケーブルまたは第２ケーブルのうちの少なくとも１つは、上面と下面に各々上部ピン領域と下部ピン領域が配置され、上部ピン領域は第１ピン領域と第１ダミーピン領域を含み、下部ピン領域は第１ダミーピン領域に重畳する第２ピン領域と前記第１ピン領域と重畳する第２ダミーピン領域を含むフィルム、第１ピン領域に既設定された間隔で配置される第１ケーブルピンと第２ケーブルピンを含む上部ピン、第２ピン領域に既設定された間隔で配置される少なくとも第３ケーブルピンと第４ケーブルピンを含む下部ピン、第１ケーブルピンに連結され、フィルムの上面に配置される第１配線と、第２ケーブルピンに連結され、フィルムの上面に配置される第２配線を含む上部配線、及び第３ケーブルピンに連結され、フィルムの下面に配置される第３配線と、第３ケーブルピンに連結され、フィルムの下面に配置される第４配線を含む下部配線を含む表示装置を提供することができる。
【発明の効果】
【００１２】
本発明の実施形態によれば、高速信号転送可能なケーブル、コネクタ、及び表示装置を提供することができる。
【００１３】
本発明の実施形態によれば、締結が容易なケーブル、コネクタ、及び表示装置を提供することができる。
【図面の簡単な説明】
【００１４】
【図１】本発明の実施形態に係る表示装置の一例を示す構造図である。
【図２ａ】本発明の実施形態に係る表示装置の背面の一例を示す平面図である。
【図２ｂ】図２ａに図示されたソース印刷回路基板とソース印刷回路基板を連結するケーブルの連結関係を示す拡大図である。
【図３】本発明の実施形態に係るケーブルの上面を示す平面図である。
【図４】本発明の実施形態に係るケーブルの下面を示す平面図である。
【図５ａ】図３に図示された上部ピン領域のＡ領域に配置されているピンの配置関係を示す拡大図である。
【図５ｂ】上部ピン領域のＡ領域に配置されているピンの配置関係を示す拡大図である。
【図６ａ】図４に図示された下部ピン領域のＢ領域に配置されているピンの配置の関係を示す拡大図である。
【図６ｂ】下部ピン領域のＢ領域に配置されているピンの配置関係を示す拡大図である。
【図６ｃ】下部ピン領域のＣ領域に配置されているピンの配置関係を示す拡大図である。
【図７】図５ａに図示されたケーブルのＩ−Ｉ’の断面を示す断面図である。
【図８】図６ａに図示されたケーブルのＩＩ−ＩＩ’の断面を示す断面図である。
【図９】本発明の実施形態に係るソース印刷回路基板の平面図である。
【図１０】図９に図示されたソース印刷回路基板に配置されている第３ピン領域の一部を示す拡大平面図である。
【図１１】本発明の実施形態に係るコネクタにソースケーブルが挿入されている一実施形態を示す側面図である。
【図１２】本発明の実施形態に係るコネクタにソースケーブルが挿入されている他の実施形態を示す側面図である。
【図１３】本発明の実施形態に係るコネクタを上部から眺めた平面図である。
【図１４】コネクタを下部から眺めた平面図である。
【図１５】本発明の実施形態に係るコネクタの関係を示す側面図である。
【発明を実施するための形態】
【００１５】
以下、本発明の一部の実施形態を例示的な図面を通じて詳細に説明する。各図面の構成要素に参照符号を付加するに当たって、同一な構成要素に対しては、たとえ他の図面上に表示されても、できる限り同一な符号を有することがある。また、本発明を説明するに当たって、関連した公知構成または機能に対する具体的な説明が本発明の要旨を曖昧にすることがあると判断される場合には、その詳細な説明は省略する。
【００１６】
また、本発明の構成要素を説明するに当たって、第１、第２、Ａ、Ｂ、（ａ）、（ｂ）などの用語を使用することがある。このような用語はその構成要素を他の構成要素と区別するためのものであり、その用語により当該構成要素の本質や回順序、順序、または個数などが限定されない。ある構成要素が他の構成要素に“連結”、“結合”、または“接続”されると記載された場合、その構成要素は該他の構成要素に直接的に連結または接続できるが、各構成要素の間に他の構成要素が“介在”されるか、または各構成要素が他の構成要素を通じて“連結”、“結合”、または“接続”されることもできると理解されるべきである。
【００１７】
図１は、本発明の実施形態に係る表示装置の一例を示す構造図である。
【００１８】
図１を参照すると、表示装置１００は、表示パネル１１０、ゲートドライバー１２０、データドライバー１３０、及び制御部１４０を含むことができる。
【００１９】
表示パネル１１０は、複数の画素１０１が複数のゲートライン（ＧＬ１，．．．，ＧＬｎ）と複数のデータライン（ＤＬ１，．．．，ＤＬｍ）が交差する領域に配置できる。交差は１つの構成要素が他の１つの構成要素と交差または重畳することを含むことができ、２つ構成要素が必ず接触する必要はない。例えば、複数のゲートライン（ＧＬ１，．．．，ＧＬｎ）と複数のデータライン（ＤＬ１，．．．，ＤＬｍ）はオーバーラップして互いに交差できるが、１つ以上のレイヤまたは要素をその２つ間に提供することにより、物理的に互いに分離することができる。各画素１０１は有機発光ダイオード（Organic light emitting diode：ＯＬＥＤ）と有機発光ダイオードに駆動電流を供給する画素回路を含むことができる。画素回路は、ゲートラインを介して伝達されるゲート信号に対応してデータライン（ＤＬ１，．．．，ＤＬｍ）に流れるデータ信号の伝達を受けて駆動電流を生成し、有機発光ダイオードに供給することができる。また、表示パネル１１０は複数の電圧の伝達を受けて駆動できる。
【００２０】
ゲートドライバー１２０は、複数のゲートライン（ＧＬ１，．．．，ＧＬｎ）と連結されてゲート信号をゲートライン（ＧＬ１，．．．，ＧＬｎ）に伝達することができる。ここで、ゲートドライバー１２０の数は１つとして図示されているが、これに限定されるものではなく、複数個でありうる。
【００２１】
データドライバー１３０は、複数のデータライン（ＤＬ１，．．．，ＤＬｍ）と連結されてデータ信号をデータライン（ＤＬ１，．．．，ＤＬｍ）に伝達することができる。データドライバー１３０の数は１つとして図示されているが、これに限定されるものではなく、複数個でありうる。また、データドライバー１３０の数は表示パネル１１０のサイズと解像度により決定できる。
【００２２】
また、ゲートドライバー１２０とデータドライバー１３０は各々複数の集積回路（Integrated Circuit）を含むことができる。
【００２３】
制御部１４０は、ゲートドライバー１２０とデータドライバー１３０を制御することができる。制御部１４０は、ゲートドライバー１２０とデータドライバー１３０にクロック信号と同期信号を伝達することができる。また、制御部１４０はデータドライバー１３０に映像信号を伝達することができる。制御部１４０でゲートドライバー１２０とデータドライバー１３０に転送する信号はこれに限定されるものではない。また、制御部１４０はゲートドライバー１２０、データドライバー１３０に転送する信号を高速で転送することができる。高速は１Ｇｂｐｓ（Giga bit per second）以上の速度で信号を転送するものでありうる。しかしながら、これに限定されるものではない。また、高速で伝達される信号は差分信号（differential signal）でありうる。しかしながら、これに限定されるものではない。
【００２４】
図２ａは本発明の実施形態に係る表示装置の背面の一例を示す平面図であり、図２ｂは図２ａに図示されたソース印刷回路基板とソース印刷回路基板を連結するケーブルの連結関係を示す拡大図である。
【００２５】
図２ａを参照すると、表示装置１００は、表示パネル１１０、表示パネル１１０の一面（例えば、後面）に配置される第１ソース印刷回路基板１３０ａ、表示パネル１１０の一面に配置される第２ソース印刷回路基板１３０ｂ、表示パネル１１０と第１ソース印刷回路基板１３０ａに連結されている第１ベースフィルム１３１ａの上に配置された第１集積回路１３２ａ、表示パネル１１０と第２ソース印刷回路基板１３０ｂに連結されている第２ベースフィルム１３１ｂの上に配置された第２集積回路１３２ｂ、及び第１ソース印刷回路基板１３０ａに信号及び電圧を供給するブリッジ印刷回路基板１４０ａを含むことができる。
【００２６】
表示装置１００はブリッジ印刷回路基板１４０ａをさらに含むことができ、ブリッジ印刷回路基板１４０ａは第１ソース印刷回路基板１３０ａと第１ケーブル１４１ａ及び第２ケーブル１４１ｂにより連結できる。第１ソース印刷回路基板１３０ａと第２ソース印刷回路基板１３０ｂは、第１ソースケーブル１８０ａにより連結できる。しかしながら、これに限定されるものではない。第１ケーブル１４１ａ、第２ケーブル１４１ｂ、第１ソースケーブル１８０ａは、各々フレキシブルフラットケーブル（FLEXIBLE FLATE CABLE：ＦＦＣ）でありうる。しかしながら、これに限定されるものではない。ブリッジ印刷回路基板１４０ａは、第１ソース印刷回路基板１３０ａと第２ソース印刷回路基板１３０ｂに高速の信号を供給することができる。また、ブリッジ印刷回路基板１４０ａは差分信号を第１ソース印刷回路基板１３０ａと第２ソース印刷回路基板１３０ｂに供給することができる。しかしながら、これに限定されるものではない。
【００２７】
また、表示装置１００は、表示パネル１１０の一側に配置される第３ソース印刷回路基板１３０ｃ、表示パネル１１０の表示パネル１１０の一側に配置される第４ソース印刷回路基板１３０ｄをさらに含むことができる。また、表示パネル１１０と第３ソース印刷回路基板１３０ｃに連結されている第３ベースフィルム１３１ｃの上に配置された第３集積回路１３２ｃ、表示パネル１１０と第４ソース印刷回路基板１３０ｄに連結されている第４ベースフィルム１３１ｄの上に配置された第４集積回路１３２ｄを含むことができる。
【００２８】
また、ブリッジ印刷回路基板１４０ａと第３ソース印刷回路基板１３０ｃは、第３ケーブル１４１ｃと第４ケーブル１４１ｄにより連結できる。第３ソース印刷回路基板１３０ｃと第４ソース印刷回路基板１３０ｄは第２ソースケーブル１８０ｂにより連結できる。しかしながら、これに限定されるものではない。ブリッジ印刷回路基板１４０ａは、第３ソース印刷回路基板１３０ｃと第４ソース印刷回路基板１３０ｄに高速の信号を供給することができる。また、ブリッジ印刷回路基板１４０ａは差分信号を第３ソース印刷回路基板１３０ｃと第４ソース印刷回路基板１３０ｄに供給することができる。しかしながら、これに限定されるものではない。
【００２９】
第３ケーブル１４１ｃ、第４ケーブル１４１ｄ、第２ソースケーブル１８０ｂは、各々フレキシブルフラットケーブル（FLEXIBLE FLATE CABLE：ＦＦＣ）でありうる。しかしながら、これに限定されるものではない。
【００３０】
第１ソースケーブル１８０ａは第１ソース印刷回路基板１３０ａと第２ソース印刷回路基板１３０ｂとの間に配置され、第２ソースケーブル１８０ｂは第３ソース印刷回路基板１３０ｃと第４ソース印刷回路基板１３０ｄとの間に配置できる。したがって、第１ソースケーブル１８０ａと第２ソースケーブル１８０ｂの長さは最小化できる。第１ソースケーブル１８０ａと第２ソースケーブル１８０ｂの長さが最小化されれば、第１ソースケーブル１８０ａと第２ソースケーブル１８０ｂの長さにより発生できる信号の転送効率の低下を最小化することができる。
【００３１】
第１ソース印刷回路基板１３０ａと第２ソース印刷回路基板１３０ｂとの間に配置されている第１ソースケーブル１８０ａは、図２ｂに図示されているように、幅（Ｗ１）が第１ソース印刷回路基板１３０ａと第２ソース印刷回路基板１３０ｂの幅（Ｗ２）より小さいことがある。これによって、第１ソースケーブル１８０ａの面積を小さく具現することができる。ここでは、第１ソースケーブル１８０ａの幅（Ｗ１）が第１ソース印刷回路基板１３０ａと第２ソース印刷回路基板１３０ｂの幅より小さく図示されているが、第３ソース印刷回路基板１３０ｃと第４ソース印刷回路基板１３０ｄとの間に配置された第２ソースケーブル１８０ｂの幅も第３ソース印刷回路基板１３０ｃと第４ソース印刷回路基板１３０ｄの幅より小さいことがある。そして、一実施形態において、第２ソースケーブル１８０ｂの幅は、図２ｂに図示されている第１ソースケーブル１８０ａの幅（Ｗ１）と同一であるか、または実質的に同一でありうる。
【００３２】
また、ブリッジ印刷回路基板１４０ａは、コントロール回路基板１４０ｂと連結できる。ブリッジ印刷回路基板１４０ａは、コントロール回路基板１４０ｂから転送された信号を第１ソース印刷回路基板１３０ａ乃至第４ソース印刷回路基板１３０ｄに転送するようにすることができる。ブリッジ印刷回路基板１４０ａとコントロール回路基板１４０ｂは、第５ケーブル１５１により連結できる。第５ケーブル１５１は、フレキシブルフラットケーブル（FLEXIBLE FLATE CABLE：ＦＦＣ）でありうる。ブリッジ印刷回路基板１４０ａは、コントロール回路基板１４０ｂから転送された信号を高速の信号に変換して転送することができる。また、ブリッジ印刷回路基板１４０ａはコントロール回路基板１４０ｂから転送された信号を差分信号に変換して転送することができる。しかしながら、これに限定されるものではない。
【００３３】
ここで、第１集積回路１３２ａ乃至第４集積回路１３２ｄは、図１に図示されたゲートドライバー１２０またはデータドライバー１３０に含まれる複数の集積回路でありうる。また、ブリッジ印刷回路基板１４０ａ及び／又はコントロール回路基板１４０ｂに、図１に図示された制御部１４０を配置できる。しかしながら、これに限定されるものではない。
【００３４】
図３は本発明の実施形態に係るソースケーブルの第１面（例えば、上面）を示す平面図であり、図４は本発明の実施形態に係るソースケーブルの第２面（例えば、下面）を示す平面図である。
【００３５】
図３及び図４を参照すると、ソースケーブル１８０ａ、１８０ｂは第１方向に延びることができ、ソースケーブル１８０ａ、１８０ｂの両端部には各々、上部ピン領域２２１ａと下部ピン領域２２１ｂを配置できる。ソースケーブル１８０ａ、１８０ｂは、フィルム２２１の第１面の上に第１配線レイヤ（以下、上部配線）と上部配線に連結された上部ピン２００ａが配置され、フィルム２２１の第２面の上に第２配線レイヤ（以下、下部配線）と下部配線に連結された下部ピン２００ｂを配置できる。そして、ソースケーブル１８０ａ、１８０ｂはカバーレイ２０６により上面と下面において覆うことができる。カバーレイ２０６は、上部ピン領域２２１ａと下部ピン領域２２１ｂは覆っていない。したがって、上部ピン２００ａと下部ピン２００ｂは露出してもよい。フィルム２２１は、絶縁膜でありうる。カバーレイ２０６が覆われたソースケーブル１８０ａ、１８０ｂの上面にはソースケーブル１８０ａ、１８０ｂに対する情報を表示できる。また、フィルム２２１の上に配置される複数の上部配線と上部ピン２００ａは第１方向に並んで配置できる。また、フィルム２２１の上に配置される複数の下部配線と下部ピン２００ｂは、第２方向に並んで配置できる。一実施形態において、第２方向は第１方向と直交することができる。例えば、図示したようにソースケーブル１８０ａ、１８０ｂは第１方向に長さを有することができ、第２方向に幅を有することができる。
【００３６】
一側の上部ピン領域２２１ａと下部ピン領域２２１ｂまたはソースケーブル１８０ａ、１８０ｂの端部に配置されている各ケーブルピン２００ａ、２００ｂは１つの配線を通じて他の一側の上部ピン領域２２１ａと下部ピン領域２２１ｂに配置されている各ケーブルピン２００ａ、２００ｂに連結できる。即ち、図３に図示したように、ソースケーブル１８０ａ、１８０ｂの左側の上部ピン領域２２１ａに配置されている複数のケーブルピン２００ａは、ソースケーブル１８０ａ、１８０ｂの右側の上部ピン領域２２１ａに配置されている対応するケーブルピン２００ａと対応する配線により連結される。同様に、図４に図示したように、ソースケーブル１８０ａ、１８０ｂの左側の下部ピン領域２２１ｂに配置されている複数のケーブルピン２００ｂは、ソースケーブル１８０ａ、１８０ｂの右側の上部ピン領域２２１ａに配置されている対応するケーブルピン２００ｂと対応する配線により連結される。ケーブルピン２００ａ、２００ｂは電気的な接触が容易であるようにするために配線より幅がより広く形成できる。例えば、ケーブルピン２００ａ、２００ｂはより広い接触領域の提供を受けることができる。したがって、ソースケーブル１８０ａ、１８０ｂは上部ピン領域２２１ａまたは下部ピン領域２２１ｂに対応する領域の第２方向の幅（ＷＤ２）は上部ピン領域２２１ａまたは下部ピン領域２２１ｂが配置されていない領域の第１方向の幅（ＷＤ１）より広いことがある。しかしながら、これに限定されるものではない。ＷＤ１及び／又はＷＤ２が図２ｂに図示したソースケーブル１８０ａ、１８０ｂの幅（Ｗ１）でありうる。即ち、ソースケーブル１８０ａ、１８０ｂの幅（Ｗ１）が薄くなることはＷＤ１のみ薄くなるものであるか、またはＷＤ２のみ薄くなるものでありうる。また、ＷＤ１とＷＤ２が全て薄くなるものでありうる。
【００３７】
そして、上部ピン領域２２１ａと下部ピン領域２２１ｂは重畳できる。重畳はフィルム２２１を基準に互いに異なるレイヤにある上部ピン領域２２１ａと下部ピン領域２２１ｂを同一平面上に投影する場合、互いに重畳する位置に配置されていることを意味することができる。しかしながら、重畳している上部ピン領域２２１ａと下部ピン領域２２１ｂを同一平面内または同一平面上に投影すれば、完全に重なっているもののみを意味するものではない。
【００３８】
上部ピン領域２２１ａは、第１ピン領域２１０ａと第１ダミーピン領域２１０ｂを含むことができ、例えば、第１方向で互いに隣接することができる。下部ピン領域２２１ｂは第２ピン領域２２０ａと第２ダミーピン領域２２０ｂを含むことができ、例えば第１方向で互いに隣接することができる。第１ピン領域２１０ａと第２ピン領域２２０ａは各々ソースケーブル１８０ａ、１８０ｂ内に配置されている配線と連結されて信号を転送することができるケーブルピンが配置されている領域であり、第１ダミーピン領域２１０ｂと第２ダミーピン領域２２０ｂはソースケーブル１８０ａ、１８０ｂ内に配置されている配線（例えば、上部配線または下部配線）と連結されなくて信号が転送できないダミーピンが配置されている領域でありうる。即ち、ケーブルピンはソースケーブル１８０ａ、１８０ｂの配線と連結され、一方、ダミーピンは配線から電気的に分離されていることができる。これは、以下に詳細に説明する。第１ピン領域２１０ａと第２ピン領域２２０ａには各々複数のケーブルピンが第２方向に並んで配置され、第１ダミーピン領域２１０ｂと第２ダミーピン領域２２０ｂには、各々複数のダミーピンを第２方向に並んで配置することができる。また、フィルム２２１の互いに異なるレイヤに位置する複数の第１ピン領域２１０ａと第２ダミーピン領域２２０ｂが互いに重畳することができ、フィルム２２１の互いに異なるレイヤに位置する第１ダミーピン領域２１０ｂと第２ピン領域２２０ａが互いに重畳することができる。
【００３９】
ここで、ソースケーブル１８０ａ、１８０ｂは第１ソース印刷回路基板１３０ａと第２ソース印刷回路基板１３０ｂを連結する第１ソースケーブル１８０ａ、または第３ソース印刷回路基板１３０ｃと第４ソース印刷回路基板１３０ｄを連結する第２ソースケーブル１８０ｂであると図示しているが、これに限定されるものではなく、図２ａに図示された一部または全てのケーブル（１４１ａ、１４１ｂ、１４１ｃ、１４１ｄ、１５１）に適用することができる。
【００４０】
また、ソースケーブル１８０ａ、１８０ｂに複数の電源線（２０３ｖａ、２０３ｖｂ、２０３ｖｃ、２０３ｖｄ、２０４ｖａ、２０４ｖｂ、２０４ｖｃ、２０４ｖｄ）を配置できる。ソースケーブル１８０ａ、１８０ｂの下部ピン領域のＣ領域において、複数の電源線（２０３ｖａ、２０３ｖｂ、２０３ｖｃ、２０３ｖｄ、２０４ｖａ、２０４ｖｂ、２０４ｖｃ、２０４ｖｄ）は露出していてもよい。図４はＣ領域を拡大して示した概略図である。Ｃ領域は図６ｃにさらに詳細に記述する。
【００４１】
図５ａは図３に図示された上部ピン領域のＡ領域に配置されているケーブルピンの配置を示す拡大図であり、図６ａは図４に図示された下部ピン領域のＢ領域に配置されているケーブルピンの配置の関係を示す拡大図である。
【００４２】
図５ａを参照すると、Ａ領域はソースケーブル１８０ａ、１８０ｂの上部面に配置され、第１ピン領域２１０ａの一部、第１ダミーピン領域２１０ｂの一部を含むことができる。第１ピン領域２１０ａには、第２方向に並んた第１ケーブルピン２０１ａと第２ケーブルピン２０２ａを含む上部ケーブルピンを配置できる。第１ケーブルピン２０１ａと第２ケーブルピン２０２ａには第１方向に延びる第１ケーブル信号線２０１ｃと第２ケーブル信号線２０２ｃを各々連結できる。第１ケーブル信号線２０１ｃと第２ケーブル信号線２０２ｃは、上部配線に含まれていてもよい。第１ケーブル信号線２０１ｃには（＋）信号が伝達され、第２ケーブル信号線２０２ｃには（−）信号を印加できる。しかしながら、これに限定されるものではなく、第１ケーブル信号線２０１ｃには（−）信号が伝達され、第２ケーブル信号線２０２ｃには（＋）信号を印加できる。即ち、隣接した２つのケーブル信号線のうちの１つは（＋）信号が伝達され、他の１つには（−）信号を伝達できる。第１ダミーピン領域２１０ｂには互いに平行して第２方向に第１ダミーピン２０１ｂと第２ダミーピン２０２ｂを含む上部ダミーピンを配置できる。第１ダミーピン２０１ｂと第２ダミーピン２０２ｂには各々ケーブル信号線が連結されていない。上部ケーブルピンと上部ダミーピンをまとめて上部ピン２００ａと呼んでもよい。
【００４３】
図６ａを参照すると、Ｂ領域はソースケーブル１８０ａ、１８０ｂの下部面に配置され、第２ダミーピン領域２２０ｂの一部、第２ピン領域２２０ａの一部を含むことができる。第２ダミーピン領域２２０ｂは第１ピン領域２１０ａと重畳し、第２ピン領域２２０ａは第１ダミーピン領域２１０ｂと重畳することができる。
【００４４】
第２ダミーピン領域２２０ｂには第２方向に並んでいる第３ダミーピン２０３ｂと第４ダミーピン２０４ｂを含む下部ダミーピンを配置できる。第３ダミーピン２０３ｂと第４ダミーピン２０４ｂには各々ケーブル信号線が連結されていない。第２ピン領域２２０ａには第２方向に並んだ第３ケーブルピン２０３ａと第４ケーブルピン２０４ａを含む下部ケーブルピンを配置できる。下部ダミーピンと下部ケーブルピンはまとめて下部ピン２００ｂと呼んでもよい。第３ケーブルピン２０３ａと第４ケーブルピン２０４ａには第１方向に延びる第３ケーブル信号線２０３ｃと第４ケーブル信号線２０４ｃを各々連結できる。第３ケーブル信号線２０３ｃと第４ケーブル信号線２０４ｃは下部配線に含まれていてもよい。第３ケーブル信号線２０３ｃと第４ケーブル信号線２０４ｃとの間には第３ダミーピン２０３ｂを配置できる。また、第３ケーブル信号線２０３ｃには（＋）信号が伝達され、第４ケーブル信号線２０４ｃには（−）信号を印加できる。しかしながら、これに限定されるものではなく、第３ケーブル信号線２０３ｃには（−）信号が伝達され、第４ケーブル信号線２０４ｃには（＋）信号を印加できる。即ち、隣接した２つのケーブル信号線のうちの１つは（＋）信号が伝達され、他の１つには（−）信号を伝達できる。
【００４５】
第１ケーブル信号線２０１ｃと第３ケーブル信号線２０３ｃは第１極性（例えば、正（＋）信号）を有する信号を転送することができ、第２ケーブル信号線２０２ｃと第４ケーブル信号線２０４ｃは第２極性（例えば、負（−）信号）を転送することができる。したがって、第１ケーブル信号ライン２０１ｃと第２ケーブル信号ライン２０２ｃ、または第３ケーブル信号ライン２０３ｃと第４ケーブル信号ライン２０４ｃが短絡（short）されれば、第１ケーブル信号線２０１ｃから第２ケーブル信号線２０２ｃ、または第３ケーブル信号線２０３ｃから第４ケーブル信号線２０４ｃに信号が流れて回路が損傷される問題が発生することがある。したがって、隣接した第１ケーブル信号線２０１ｃと第２ケーブル信号線２０２ｃ、または隣接した第３ケーブル信号線２０３ｃと第４ケーブル信号線２０４ｃは所定の間隔を置いて配置されなければならない。即ち、隣接したケーブル信号線は互いに隣接したケーブル信号線の間の短絡が発生することを防止するか、または減らすために互いに充分な距離に離隔されなければならない。そして、所定のマージンが反映された所定の間隔を有するように配置された、ソースケーブル１８０ａ、１８０ｂの上部ピン領域２２１ａ、または下部ピン領域２２１ｂに配置されている第１ケーブル信号線２０１ｃと第２ケーブル信号線２０２ｃ、または第３ケーブル信号線２０３ｃと第４ケーブル信号線２０４ｃは、所定の間隔で離隔して短絡されない。また、第１ケーブル信号線２０１ｃと第２ケーブル信号線２０２ｃ、または第３ケーブル信号線２０３ｃと第４ケーブル信号線２０４ｃは、第１ダミーピン領域２１０ｂまたは第２ダミーピン領域２２０ｂに配置されるダミーピンの間を通るように配置できる。したがって、互いに異なる極性を有する信号を転送する第１ケーブル信号線２０１ｃと第２ケーブル信号線２０２ｃ、または第３ケーブル信号線２０３ｃと第４ケーブル信号線２０４ｃは、所定のマージンより広い間隔で配置できる。
【００４６】
図５ｂ及び図６ｂは、各々図５ａ及び図６ａと実質的に同一であるが、図５ｂと図６ｂでは、隣接したケーブル線対はケーブル信号線ルーティング領域で隣接したケーブル線対の間のマージンまたは距離が、隣接したケーブル線対が延びたケーブルピンの各々のマージンまたは距離より小さいマージンを備える。ケーブル信号線ルーティング領域は、ソースケーブル１８０ａ、１８０ｂの上面及び下面で少なくとも１つの領域であって、上面の互いに対向するサイドに位置する上部ピン領域２２１ａの間と下面の互いに対向するサイドに位置する下部ピン領域２２１ｂに位置することができる。
【００４７】
例えば、隣接したケーブル信号ライン対の間のマージンは、ソースケーブル１８０ａ、１８０ｂの上面上の第１ピン領域２１０ａ（図５ｂ参照）またはソースケーブル１８０ａ、１８０ｂの下面の第２ピン領域２２０ａ（図６ｂ参照）で隣接したケーブル信号線上が延びる各々のピンの間のマージンより小さいことがある。
【００４８】
図５ｂに図示されているように、第１ピン領域２１０ａに配置されている第１ケーブルピン２１０ａの長さ（Ｄ１）は第１ダミーピン領域２１０ｂに配置されている第１ダミーピン２０１ｂの長さ（Ｄ２）より長いことがある。そして、正（＋）の信号と負（−）の信号を転送する２つの隣接したケーブル信号ライン対は、インピーダンスマッチングと共通ノイズの除去のために配線間の間隔を最小化するか、または減らすことができる。例えば、正（＋）の信号を転送するケーブル信号ラインと負（−）の信号を転送する隣接した２つのケーブル信号ラインとの間の距離（Ｗｃ２）は、第１ケーブル信号ライン２０１ｃ’の幅（Ｗ１）と等しいか短いことがある。図５ｂでは第１ケーブル信号ライン２０１ｃ’の幅（Ｗｃ１）は隣接した２つのケーブル信号ライン間の距離（Ｗｃ２）より大きいものとして図示されているが、多様な実施形態で、幅（Ｗｃ１）及び／又は距離（Ｗｃ２）は多様に設計されることができ、一部の実施形態では距離（Ｗｃ２）は幅（Ｗｃ１）と同一であるか、またはそれより小さいことがあることを容易に知ることができる。
【００４９】
そして、第１ケーブルピン２１０ａから延びたケーブル信号ラインと他の１つの第２ケーブルピン２０２ａから延びたケーブル信号ラインとの間の距離（Ｗｃ３）は、少なくとも第１ケーブル信号ライン２０１ｃ’の幅（Ｗｃ１）の３倍であってもよい。これにより信号干渉を最小化させることができる。また、第１ケーブルピン２１０ａの幅（Ｗｃ４）は第１ケーブル信号ライン２０１ｃ’の幅（Ｗｃ１）より少なくても４倍でありうる。
【００５０】
図５ｂを参照すると、第１ケーブル信号ライン２０１ｃ’（正（＋）信号を転送する）と、第１信号ケーブル信号ライン２０１ｃ’と隣接したケーブル信号ライン（負（−）信号を転送する）の各々は、第１方向（例えば、図５ｂで水平方向）に沿って対応するピンから外側に延びる。第１ピン領域２１０ａの外側において、隣接したケーブル信号ライン対のセグメントが、第１ピン領域２１０ａにおける一対のケーブル信号ラインの間のマージンより小さなマージンを有して各々延びる。隣接したケーブル信号ライン対は、ケーブル信号ラインルーティング領域を通って第１方向に沿って延び、ケーブル信号ラインは、ケーブル信号ラインルーティング領域に沿って、減少するこれらの間のマージンまたは間隔を有していてもよい。例えば、隣接したケーブル信号ライン対は、図５ｂに図示したように、第１方向に対して各々対応する角度で互いに向けて延びるセグメントを備えることができる。
【００５１】
また、図５ｂに示すように、ケーブルピン及び／又はダミーピンは丸い形状を有することができる。例えば、ケーブルピン及び／又はダミーピンの端部は少なくとも部分的に丸くなることができる。
【００５２】
図６ｂは、前記と類似するように隣接したケーブル信号ラインが、ケーブル信号線ルーティング領域において、隣接したケーブル信号ラインが延びた対応するケーブルピンの間のマージンより小さいマージンまたは間隔を備える。図６ｂを参照すると、第３ケーブル信号ライン２０３ｃ’（正（＋）信号を転送する）と、第３信号ケーブル信号ライン２０３ｃ’と隣接したケーブル信号ライン（負（−）信号を転送する）の各々は、第１方向（例えば、図６ｂで水平方向）に沿って対応するピンから外側に延びる。第２ピン領域２１０ａ及び／又は第２ダミーピン領域２２０ｂの外側において、隣接したケーブル信号ライン対のセグメントが、第２ピン領域２２０ａにおける一対のケーブル信号ラインの間のマージンより小さいマージンを有して各々延びる。隣接したケーブル信号ライン対はケーブル信号ラインルーティング領域を通って第１方向に沿って延び、ケーブル信号ラインは、ケーブル信号ラインルーティング領域に沿って、減少するこれらの間のマージンまたは間隔を有していてもよい。隣接したケーブル信号ラインは、第１方向に対して任意の角度で互いに向けて延びることができる。例えば、一部の実施形態において、ケーブル信号ラインの隣接した対は、第１方向に対して約２０度乃至６０度の角度で互いに向かって延びることができる。しかしながら、この範囲は例示として提供されるものであり、本発明の実施形態はこれに限定されるものではない。また、隣接したケーブル信号ライン対は、ケーブル信号ラインの隣接した対がこれらの間の減少したマージンまたは距離に互いに向かって延びるように、曲げられていてもよく、または任意の他の幾何学的な構造を有してもよい。隣接したケーブル信号線対の間のマージンまたは距離を減少させることによって、図５ｂ及び図６ｂに図示したように、隣接したケーブル信号線対により伝達できるノイズの差が減少できる。例えば、隣接したケーブル信号ラインは差分信号（例えば、１つの正（＋）の信号を転送、及び他の１つの負（−）の信号を転送）を搬送する実施形態では、隣接したケーブル信号ラインの各々は、隣接したケーブル信号ラインの距離が減少するので、同一または類似のノイズを受ける。
【００５３】
図６ｃは、下部ピン領域のＣ領域に配置されているピンの配置関係を示す拡大図である。図６ｃを参照すると、ソースケーブル１８０ａ、１８０ｂのルーティング領域に各々高電位電圧（ＶＨ）を伝達する電源ライン２０３ｖと低電位電圧（ＶＬ）を伝達する電源ライン２０４ｖが配置できる。第１電源ライン２０３ｖは下部ピン領域のＣ領域で４個の電源ライン（２０３ｖａ、２０３ｖｂ、２０３ｖｃ、２０３ｖｄ）に分割され、第２電源ライン２０４ｖは４個の電源ライン（２０４ｖａ、２０４ｖｂ、２０４ｖｃ、２０４ｖｄ）に分割できる。第１電源ライン２０３ｖと連結された各々の電源ライン（２０３ｖａ、２０３ｖｂ、２０３ｖｃ、２０３ｖｄ）は、例えば、第２ピン領域２２０ａに配置されている電源供給ピンと連結できる。同様に、第２電源ライン２０４ｖと連結された各々の電源ライン（２０４ｖａ、２０４ｖｂ、２０４ｖｃ、２０４ｖｄ）は、例えば、第２ピン領域２２０ａに配置されている電源供給ピンと連結できる。
【００５４】
図７は図５ａに図示されたケーブルのＩ−Ｉ’の断面を示す断面図であり、図８は図６ａに図示されたケーブルのＩＩ−ＩＩ’の断面を示す断面図である。
【００５５】
図７を参照すると、ソースケーブル１８０ａ、１８０ｂはフィルム２２１の上に第１方向に延びる第１ケーブル信号線２０１ｃが配置できる。フィルム２２１は、絶縁フィルムでありうる。また、第１ケーブル信号線２０１ｃの上部はカバーレイ２０６により覆うことができる。第１ケーブル信号線２０１ｃの上部のカバーレイ２０６により覆われていない部分に第１ケーブルピン２１０ａを形成できる。第１ケーブルピン２０１ａは露出してフィルム２２１上でカバーレイ２０６と一定の距離を置いて配置できる。また、フィルム２２１の下部に第３ダミーピン２０３ｂを配置できる。そして、フィルム２２１の下部または下面はカバーレイ２０６により覆うことができる。カバーレイ２０６は、フィルム２２１の下部に第３ダミーピン２０３ｂと一定の距離を置くように配置され、フィルム２２１の下部を覆うことができる。カバーレイ２０６は、フィルム２２１の上部または下部に配置されている信号線を保護することができる。
【００５６】
図８を参照すると、ソースケーブル１８０ａ、１８０ｂはフィルム２２１の上部または上面に第１ダミーピン２０１ｂを配置できる。フィルム２２１の上部はカバーレイ２０６により覆うことができる。カバーレイ２０６は、第１ダミーピン２０１ｂと一定の距離を置いてフィルム２２１の上部を覆うことができる。
【００５７】
そして、フィルム２２１の下部に第３ケーブル信号線２０３ｃを配置できる。また、第３ケーブル信号線２０３ｃの下部はカバーレイ２０６により覆うことができる。第３ケーブル信号線２０３ｃの下部のカバーレイ２０６により覆われていない部分に第３ケーブルピン２０３ａが形成できる。第３ケーブルピン２０３ａは、カバーレイ２０６と一定の距離を置いて配置できる。
【００５８】
この際、図７に図示しているように、第１ケーブルピン２０１ａと第３ダミーピン２０３ｂは重畳して配置され、第３ケーブルピン２０３ａと第１ダミーピン２０１ｂは図８に図示しているように、重畳して配置できる。そして、第１ケーブルピン２０１ａと第３ダミーピン２０３ｂはフィルム２２１の端部から第１間隔（Ｌ１）を有するように配置され、第３ケーブルピン２０３ａと第１ダミーピン２０１ｂはフィルム２２１の端部に配置できる。第１間隔（Ｌ１）により、第１ケーブルピン２０１ａと第３ダミーピン２０３ｂは重畳した第１ピン領域２１０ａと第２ダミーピン領域２２０ｂに配置され、第３ケーブルピン２０３ａと第１ダミーピン２０１ｂは第２ピン領域２２０ａと第１ダミーピン領域２１０ｂに配置できる。
【００５９】
図９は、本発明の実施形態に係るソース印刷回路基板の平面図である。
【００６０】
図９を参照すると、第１ソース印刷回路基板１３０ａは、胴体部２３１及び胴体部２３１の上面に配置されるコネクタ３１０を含むことができる。ここで、第１ソース印刷回路基板１３０ａが図示されているが、これに限定されるものではなく、図２ａに図示されている第２ソース印刷回路基板１３０ｂ乃至第４ソース印刷回路基板１３０ｄも同一の構成にすることができる。しかしながら、これに限定されるものではない。また、図１に図示されたブリッジ印刷回路基板１４０ａとコントロール印刷回路基板１４０ｂにも採用できる。
【００６１】
胴体部２３１には複数の配線を多層構造で配置できる。複数の配線は信号及び／又は電圧を伝達することができる。また、胴体部２３１の上面または上部には集積回路１３２ａ、１３２ｂ、１３２ｃ、１３２ｄが配置されているベースフィルム１３１ａ、１３１ｂ、１３１ｃ、１３１ｄを連結できる。しかしながら、これに限定されるものではない。
【００６２】
コネクタ３１０は、胴体部２３１の端、または端に隣接するように配置できる。端に配置されているコネクタ３１０の数は２つとして図示されているが、これに限定されるものではない。第１ソース印刷回路基板１３０ａは、ボードピン領域３１０ａ（以下、第３ピン領域３１０ａ）を含むことができ、コネクタ３１０の下部には各々第３ピン領域３１０ａが配置できる。第３ピン領域３１０ａには複数のボードピンが第２方向に配置され、各ボードピンには胴体部２３１内の配線と連結されるボード信号線を各々連結できる。ボード信号線と胴体部２３１内の配線は別々の構成でない１つの構成でありうる。第３ピン領域３１０ａは上部に配置されているコネクタ３１０により覆うことができる。しかしながら、これに限定されるものではない。
【００６３】
図１０は、図９に図示されたソース印刷回路基板に配置されている第３ピン領域の一部を示す拡大平面図である。
【００６４】
図１０を参照すると、第１ソース印刷回路基板１３０ａの第３ピン領域３１０ａには第１ボードピン５０１ａ乃至第４ボードピン５０４ａが第２方向に配置できる。そして、第１ボードピン５０１ａと第３ボードピン５０３ａには胴体部２３１の上面から第３方向に延びる第１ボード信号線５０１ｂと第３ボード信号線５０３ｂを各々連結できる。そして、第２ボードピン５０２ａと第４ボードピン５０４ａには、胴体部２３１の上面から第１方向に延びる第２ボード信号線５０２ｂと第４ボード信号線５０４ｂを各々連結できる。第２ボード信号線５０２ｂと第４ボード信号線５０４ｂは、胴体部２３１の端、または端に隣接するように形成された導電性ビアまたはビアホール（Ｖｈ）を通じて胴体部１３１内の配線と連結できる。
【００６５】
第１ソース印刷回路基板１３０ａで信号を転送する第１ボードピン５０１ａ乃至第４ボードピン５０４ａも（＋）信号または（−）信号を転送することができる。第１ボードピン５０１ａ乃至第４ケーブルピン５０４ａのうち、第１ボードピン５０１ａと第３ボードピン５０３ａは（＋）信号を転送し、第２ボードピン５０２ａと第４ボードピン５０４ａは（−）信号を転送することができる。しかしながら、これに限定されるものではなく、第１ボードピン５０１ａと第３ボードピン５０３ａは（−）信号を転送し、第２ボードピン５０２ａと第４ボードピン５０４ａは（＋）信号を転送することができる。（＋）、（−）信号を転送するボードピンはこれに限定されるものではない。
【００６６】
第１ソース印刷回路基板１３０ａでも隣り合う２つのピン、例えば第１ボードピン５０１ａと第２ボードピン５０２ａが互いに異なる極性の信号を転送することができる。したがって、互いに隣り合うピンと連結されている信号線を所定のマージンにより一定の間隔を置いて配置することによって、信号線の間に短絡が発生しないようにする。ソース印刷回路基板１３０ａはサイズがケーブルより大きくてもよく、このため、ケーブルに設定されたマージンより大きいマージンが設定されてもよい。特に、大型表示装置に採用される印刷回路基板１３０ａの場合、ソースケーブル１８０ａ、１８０ｂとソース印刷回路基板１３０ａとの間のサイズ差が非常に大きくて、ソースケーブル１８０ａ、１８０ｂに設定されたマージンと第１ソース印刷回路基板１３０ａに設定されたマージンは差を大きく設定される。これによって、ソースケーブル１８０ａ、１８０ｂに第１ソース印刷回路基板１３０ａに設定されたマージンを適用して製造する場合、ソースケーブル１８０ａ、１８０ｂの幅が非常に大きくなる問題が発生するようになる。
【００６７】
したがって、図２ａに図示された第１ソース印刷回路基板１３０ａと第２ソース印刷回路基板１３０ｂの間、または第３ソース印刷回路基板１３０ｃと第４ソース印刷回路基板１３０ｄの間にソースケーブル１８０ａ、１８０ｂが配置できなくなるか、または難しくなって、第１ソース印刷回路基板１３０ａと第２ソース印刷回路基板１３０ｂが表示パネル１１０と対向する辺にコネクタ３１０を設置し、ソースケーブル１８０ａ、１８０ｂにより連結するようになることができる。ソースケーブル１８０ａ、１８０ｂの幅及び／又はソース印刷回路基板の側面（例えば、図２ａに図示しているように、第１ソース印刷回路基板１３０ａ、第２ソース印刷回路基板１３０ｂの側面は互いに対向するか、及び／又は第３ソース印刷回路基板１３０ｃ、第４ソース印刷回路基板１３０ｄの側面は互いに対向している）は設定されたマージンより大きい必要がある。したがって、表示パネル１１０と対向する辺（例えば、図２ａに図示されたソース印刷回路基板の上側面）にコネクタ３１０が設置されれば、ソースケーブル１８０ａ、１８０ｂが撓んで第１ソース印刷回路基板１３０ａと第２ソース印刷回路基板１３０ｂに連結される。したがって、ソースケーブル１８０ａ、１８０ｂの長さが最小化できなくなり、ソースケーブル１８０ａ、１８０ｂで信号の転送率は低下することがある。また、ソースケーブル１８０ａ、１８０ｂの長さ増加と幅の増加によって製造費用が増加する問題が発生することがある。
【００６８】
しかしながら、図３から図８に図示したように、ダミーピンを用いるようになれば、ソースケーブル１８０ａ、１８０ｂの第１ケーブル信号線２０１ｃ及び第２ケーブル信号線２０２ｃ（図５ａ）の間隔、または第３ケーブル信号線２０３ｃまたは第４ケーブル信号線２０４ｃの間隔は、第１ダミーピン２０１ｂまたは第３ダミーピン２０３ｂの幅に対応することができる。即ち、第１ケーブル信号線２０１ｃ及び第２ケーブル信号線２０２ｃの間隔、または第３ケーブル信号線２０３ｃまたは第４ケーブル信号線２０４ｃ（図６ａ）の間隔はダミーピン２０１ｂ、２０２ｂ、２０３ｂ、２０４ｂにより設定されたマージンより大きく形成できる。即ち、ダミーピン２０１ｂ、２０２ｂ、２０３ｂ、２０４ｂを配置するようになれば、設定されたマージンに対応して第１ケーブル信号線２０１ｃ乃至第４ケーブル信号線２０４ｃを配置しても第１ケーブル信号線２０１ｃ及び第２ケーブル信号線２０２ｃの間隔または第３ケーブル信号線２０３ｃまたは第４ケーブル信号線２０４ｃの間隔は設定されたマージンより大きくなることがある。ソースケーブル１８０ａ、１８０ｂの第１ケーブル信号線２０１ｃ及び第２ケーブル信号線２０２ｃの間隔、または第３ケーブル信号線２０３ｃまたは第４ケーブル信号線２０４ｃの間隔は調節することができる。
【００６９】
第１ソース印刷回路基板１３０ａにケーブルピンまたは配線を配置する時、ソースケーブル１８０ａ、１８０ｂの上面と下面に各々第１ピン領域２１０ａと第２ピン領域２２０ａと、第１ピン領域２１０ａに重畳する第２ダミーピン領域２２０ｂと第２ピン領域２２０ａに重畳する第１ダミーピン領域２１０ｂを配置することによって、ソースケーブル１８０ａ、１８０ｂの幅がダミーピン２０１ｂ、２０２ｂ、２０３ｂ、２０４ｂにより増加することを防止することができる。
【００７０】
したがって、幅（Ｗ１）の小さいソースケーブル１８０ａ、１８０ｂを提供し、第１ソース印刷回路基板１３０ａと第２ソース印刷回路基板１３０ｂが対向する辺（例えば、図２ａに図示しているように、ソース印刷回路基板１３０ａ、１３０ｂの一側は互いに対向している）にコネクタ３１０を配置し連結することによって、ソースケーブル１８０ａ、１８０ｂの長さを最小化することができる。ここで、ソースケーブル１８０ａ、１８０ｂの構造は図２に図示されている他のケーブルにも適用することができる。
【００７１】
また、第１ボードピン５０１ａと第３ボードピン５０３ａに連結された第１ボード信号線５０１ｂと第３ボード信号線５０３ｂは第３方向に延びて、第２ボード信号線５０２ｂと第４ボード信号線５０４ｂは第１方向に延びているので、互いに異なる極性を有する隣接した信号線が延びる方向を異にすることができる。第１ソース印刷回路基板１３０ａに形成されるボードピンの間のマージンをより小さく具現することができる。したがって、第１ソース印刷回路基板１３０ａのコネクタ３１０の幅を減らすことができる。また、第１ソース印刷回路基板１３０ａとソースケーブル１８０ａ、１８０ｂが連結される幅をさらに減らすことができる。
【００７２】
図１１は本発明の実施形態に係るコネクタにソースケーブルが挿入されている一実施形態を示す側面図であり、図１２は本発明の実施形態に係るコネクタにソースケーブルが挿入されている他の実施形態を示す側面図であり、図１３はコネクタを上部から眺めた平面図であり、図１４は本発明の実施形態に係るコネクタを下部から眺めた平面図である。また、図１５は本発明の実施形態に係るコネクタの関係を示す側面図である。
【００７３】
図１１から図１５を参照すると、コネクタ３１０は第１胴体３２０ａと第２胴体３２０ｂを含むことができる。そして、第１胴体３２０ａと第２胴体３２０ｂは互いに連結された分離された片であるか、または１つの片でありうる。第１胴体３２０ａと第２胴体３２０ｂは合わせてコネクタ胴体と称することができる。第２胴体３２０ｂはソース印刷回路基板１３０ａの上面に配置できる。また、第２胴体３２０ｂはソース印刷回路基板１３０ａに配置されている第３ピン領域３２０の上に配置できる。コネクタ３１０は、第１締結部３１１乃至第４締結部３１４を含むことができる。第１胴体３２０ａに第１締結部３１１と第２締結部３１２が配置され、第２胴体３２０ｂに第３締結部３１３と第４締結部３１４が配置できる。また、コネクタ３１０にはソースケーブル１８０ａ、１８０ｂが挿入されることができ、第１胴体３２０ａと第２胴体３２０ｂがソースケーブル１８０ａ、１８０ｂに圧力を加えてソースケーブル１８０ａ、１８０ｂがコネクタ３１０から離脱しないようにすることができる。例えば、第１胴体３２０ａはソースケーブル１８０ａ、１８０ｂの上面に下方の力を印加し、第２胴体３２０ｂはソースケーブル１８０ａ、１８０ｂの底面に上に向かう方向の力を印加することができる。
【００７４】
図１１は第１胴体３２０ａと第２胴体３２０ｂの第１締結部３１１と第３締結部３１３がソースケーブル１８０ａを締結している状態を示し、図１２は第１胴体３１０ａと第２胴体３１０ｂの第２締結部３１２と第４締結部３１４がソースケーブル１８０ａを締結していることを示す。また、回転可能なレバー３５０（固定部３５０と称することができる）が第１胴体３２０ａと第２胴体３２０ｂとの間に連結されている連結軸３５１に連結できる。連結軸３５１の断面は楕円でありうる。しかしながら、これに限定されるものではない。固定部３５０が時計方向に回転すれば、連結軸３５１が回転し、断面が楕円形状である連結軸３５１が回転すれば、第１胴体３１０ａと第２胴体３１０ｂの間隔が調節される。これを用いて、第１締結部３１１と第３締結部３１３、または第２締結部３１２と第４締結部３１４の間隔が近づくように連結軸３５１を回転することによって、ソースケーブル１８０ａに圧力を印加することができる。固定部３５０と連結軸３５１を合わせて調節可能締結力アセンブリーと称することができ、調節可能締結力アセンブリーは、例えば、第１締結部３１１と第３締結部３１２との間、及び第２締結部３１２と第４締結部３１４との間で、例えば垂直方向の距離を選択することによって、第１胴体３２０ａ及び／又は第２胴体３２０ｂにより印加される締結力の増加または減少を選択して動作することができる。
【００７５】
また、第１締結部３１１乃至第４締結部３１４は各々第１突起３１１ａ乃至第４突起３１４ａを含むことができる。また、第１締結部３１１は第１方向に延びており、下に突出した第１突起３１１ａを含むことができる。第２締結部３１２は、第１締結部３１１と第２方向に並んで配置され、かつ第１方向に延びており、下に突出した、基準線で第１方向に第１突起３１１ａから離れた位置に配置されている第２突起３１２ａを含むことができる。第３締結部３１３は、第１方向に延びており、上に突出した、第１突起３１１ａに対応する第３突起３１３ａを含むことができる。また、第４締結部３１４は第３締結部３１３と第２方向に並んで配置され、かつ第１方向に延びており、上に突出した、第２突起３１２ａに対応する第４突起３１４ａを含むことができる。第１突起３１１ａと第３突起３１３ａが対応し、第２突起３１２ａと第４突起３１４ａが対応することは互いに当接できる位置に配置されていることを意味することができる。即ち、下に配置されている第３突起３１３ａまたは第４突起３１４ａが支えるソースケーブル１８０ａ、１８０ｂの特定地点を第１突起３１１ａまたは第２突起３１２ａが押さえることができることを意味することができる。より詳しくは、第１突起３１１ａは第３突起３１３ａと、例えば垂直方向に整列され、第２突起３１２ａは第４突起３１４ａと、例えば垂直方向に整列できる。ここで、第２方向は印刷回路基板の上面と並んでいる方向である。第１突起３１１ａ乃至第４突起３１４ａが各々第２方向に突出しているものとして図示されているが、これは第１突起３１１ａ乃至第４突起３１４ａの形状と各第１突起３１１ａ乃至第４突起３１４ａが互いに対応する突起を示すためのものであって、第１締結部３１１乃至第４締結部３１４は第２方向に並んで配置されるが、第１突起３１１ａ乃至第４突起３１４ａの突出方向は第２方向でなく、第２方向と垂直な方向でありうる。
【００７６】
第１締結部３１１は、第１突起３１１ａと第２突起３１２ａの間の距離に対応する第１長さ（Ｌ２）だけ第２締結部３１２より突出していることができるが、これに限定されるものではなく、第１締結部３１１の長さは第２締結部３１２の長さと同一であることがあり、第１突起３１１ａと第２突起３１２ａの位置が基準線（Ｘ−Ｘ’）で第１長さ（Ｌ２）だけ互いから離れていてもよい。また、第３締結部３１３と第４締結部３１４の長さは同一であり、第３突起３１３ａと第４突起３１４ａが第１長さ（Ｌ２）だけ互いから離れていてもよい。しかしながら、これに限定されるものではなく、第３締結部３１３と第４締結部３１４の長さが第３突起３１３ａと第４突起３１４ａの位置に対応する第１長さ（Ｌ２）だけ互いに異なっていてもよい。ここで、基準線（Ｘ−Ｘ’）はコネクタ３１０に挿入されたソースケーブル１８０ａ、１８０ｂの端部に対応できる。しかしながら、これに限定されるものではない。
【００７７】
第１締結部３１１は、第１突起３１１ａが第１ケーブルピン２０１ａに上部から押さえて接触し、第２締結部３１２は第２突起３１２ａが第１ダミーピン２０１ｂに上部から押さえて接触し、第３締結部３１３は第３突起３１３ａが第３ダミーピン２０３ｂを下部から押さえて接触することができる。また、第４締結部３１４は第４突起３１４ａが第３ケーブルピン２０３ａを下部から押さえて接触することができる。第１締結部３１１は上部から第１ケーブルピン２０１ａに力を加えて、第３締結部３１３は下部から第３ダミーピン２０３ｂに力を加えることができる。また、第２締結部３１２は上部から第１ダミーピン２０１ｂに力を加えて、第４締結部３１４は下部から第３ケーブルピン２０３ａに力を加えることができる。即ち、第２締結部３１２と第３締結部３１３は第１締結部３１１と第４締結部３１４と同じようにソースケーブル１８０ａ、１８０ｂを押さえるようになる。ダミーピンにより第２締結部３１２と第３締結部３１３でソースケーブル１８０ａ、１８０ｂを押さえる力と第１締結部３１１と第４締結部３１４でソースケーブル１８０ａ、１８０ｂを押さえる力はバランスされ、コネクタ３１０がソースケーブル１８０ａ、１８０ｂを締結する力を大きくすることができる。これによって、ソースケーブル１８０ａ、１８０ｂがコネクタ３１０から分離されることを防止することができる。
【００７８】
第１突起３１１ａは、第１ソース印刷回路基板１３０ａの第１ボードピン５０１ａと連結できる。また、第１突起３１１ａは第１ケーブル信号線２０１ｃと連結されている第１ケーブルピン２０１ａを接触するため、第１ソース印刷回路基板１３０ａの第１ボードピン５０１ａがソースケーブル１８０ａ、１８０ｂの第１ケーブルピン２０１ａを通じて第１ケーブル信号線２０１ｃと連結できる。したがって、第１ケーブル信号線２０１ｃ、第１突起３１１ａ、第１ボードピン５０１ａ、第１ボード信号線５０１ｂを通じて信号が伝達される第１経路（Pass1）が形成できる。そして、第４突起３１４ａは第１ソース印刷回路基板１３０ａの第２ボードピン５０２ａと連結できる。また、第４突起３１４ａは第３ケーブル信号線２０３ｃと連結されている第３ケーブルピン２０３ａを接触するため、第１ソース印刷回路基板１３０ａの第２ボードピン５０２ａがソースケーブル１８０ａ、１８０ｂの第３ケーブルピン２０３ａを通じて第３ケーブル信号線２０３ｃと連結できる。したがって、第３ケーブル信号線２０３ｃ、第４突起３１４ａ、第２ボードピン５０２ａ、第２ボード信号線５０２ｂを通じて信号が伝達される第２経路（Pass2）が形成できる。
【００７９】
また、第１締結部３１１と第２方向で第２締結部３１２に隣り合う締結部は第５締結部であり、第５締結部に隣り合う締結部は第６締結部でありうる。第５締結部に形成されている突起は第１ソース印刷回路基板１３０ａの第３ボードピン５０３ａと連結できる。
【００８０】
そして、第３締結部３１３と第２方向で第４締結部３１４に隣り合う締結部は第７締結部であり、第７締結部に隣り合う締結部は第８締結部と称することができる。第８締結部に形成されている突起は第１ソース印刷回路基板１３０ａの第４ボードピン５０４ａと連結できる。
【００８１】
前記のような方式によりソースケーブル１８０ａ、１８０ｂの上下部に配置されているケーブルピンはコネクタ３１０を介して第１ソース印刷回路基板１３０ａに形成されているピンと連結できる。しかしながら、ソースケーブル１８０ａ、１８０ｂのケーブルピンと第１ソース印刷回路基板１３０ａのボードピンとの連結方式がこれに限定されるものではない。
【００８２】
ここで、第１胴体３２０ａと第２胴体３２０ｂに連結されている締結部は各々分離できるものとして図示されているが、これに限定されるものではなく、第１胴体３２０ａに対応する締結部と第２胴体３２０ｂに対応する締結部は一体からなることができる。
【００８３】
以上の説明及び添付の図面は本発明の技術思想を例示的に示すことに過ぎないものであって、本発明が属する技術分野で通常の知識を有する者であれば本発明の本質的な特性から逸脱しない範囲で構成の結合、分離、置換、及び変更などの多様な修正及び変形が可能である。したがって、本発明に開示された実施形態は本発明の技術思想を限定するためのものでなく、説明するためのものであり、このような実施形態によって本発明の技術思想の範囲が限定されるものではない。本発明の保護範囲は請求範囲によって解釈されなければならず、それと同等な範囲内にある全ての技術思想は本発明の権利範囲に含まれるものと解釈されるべきである。
【符号の説明】
【００８４】
１００    有機発光表示装置
１１０    表示パネル
１２０    ゲートドライバー
１３０    データドライバー
１３０ａ、１３０ｂ、１３０ｃ、１３０ｄ    ソース印刷回路基板
１４０    制御部
１４０ａ    ブリッジ印刷回路基板
１４０ｂ    コントロール回路基板
【図１】
2019120943.tif 000003
【図２ａ】
2019120943.tif 000004
【図２ｂ】
2019120943.tif 000005
【図３】
2019120943.tif 000006
【図４】
2019120943.tif 000007
【図５ａ】
2019120943.tif 000008
【図５ｂ】
2019120943.tif 000009
【図６ａ】
2019120943.tif 000010
【図６ｂ】
2019120943.tif 000011
【図６ｃ】
2019120943.tif 000012
【図７】
2019120943.tif 000013
【図８】
2019120943.tif 000014
【図９】
2019120943.tif 000015
【図１０】
2019120943.tif 000016
【図１１】
2019120943.tif 000017
【図１２】
2019120943.tif 000018
【図１３】
2019120943.tif 000019
【図１４】
2019120943.tif 000020
【図１５】
2019120943.tif 000021